(57)【要約】【課題】感情生起の原因となる事態を表す文から感情生起と関係のない単語を削除する文整形装置及び文整形プログラムを提供する。【解決手段】文整形装置は、入力された文に形態素解析を行って前記文を単語に分解する形態素解析部１１と、入力された感情語の第１の感情極性及び前記形態素解析部１１により分解された単語又は複数の単語から成る節の第２の感情極性がネガティブ、ポジティブ及びニュートラルの何れであるかを判定する感情極性判定部１２と、前記感情極性判定部１２により判定された前記第１の感情極性と前記第２の感情極性とが、一方がポジティブであり且つ他方がネガティブである単語又は節を抽出し、該単語又は節を削除することにより前記入力された文を整形する文整形部１３と、前記文整形部１３により整形された文を出力する出力部１４と、を備えている。【選択図】図１
2009163565.tif 000002
【特許請求の範囲】
【請求項１】
入力された文に形態素解析を行って前記文を単語に分解する形態素解析手段と、
入力された感情語の第１の感情極性及び前記形態素解析手段により分解された単語又は複数の単語から成る節の第２の感情極性がネガティブ、ポジティブ及びニュートラルの何れであるかを判定する感情極性判定手段と、
前記感情極性判定手段により判定された前記第１の感情極性と前記第２の感情極性とが一方がポジティブであり且つ他方がネガティブとなるときの前記第２の感情極性に対応する単語又は節を抽出し、該単語又は節を削除することにより前記入力された文を整形する文整形手段と、
前記文整形手段により整形された文を出力する出力手段と、
を備えた文整形装置。
【請求項２】
入力された文に形態素解析を行って前記入力された文を単語に分解する形態素解析手段と、
入力された感情語の第１の感情極性値、及び前記形態素解析手段により分解された単語又は複数の単語から成る節の感情極性がネガティブ、ポジティブ又はニュートラルの何れかである度合いを示す第２の感情極性値を判定する感情極性判定手段と、
前記感情極性判定手段により判定された前記第１の感情極性値及び前記第２の感情極性値に基づいて前記感情語に対する前記単語又は前記節の寄与度を求め、該寄与度が閾値に満たないものを不要な単語又は節として抽出し、該単語又は節を削除することにより前記入力された文を整形する文整形手段と、
前記文整形手段により整形された文を出力する出力手段と、
を備えた文整形装置。
【請求項３】
コンピュータを、
入力された文に形態素解析を行って前記入力された文を単語に分解する形態素解析手段、
入力された感情語の第１の感情極性及び前記形態素解析手段により分解された単語又は複数の単語から成る節の第２の感情極性がネガティブ、ポジティブ及びニュートラルの何れであるかを判定する感情極性判定手段、及び
前記感情極性判定手段により判定された前記第１の感情極性と前記第２の感情極性とが、一方がポジティブであり且つ他方がネガティブである単語又は節を抽出し、該単語又は節を削除することにより入力された文を整形する文整形手段、
として機能させるための文整形プログラム。
【請求項４】
コンピュータを、
入力された文に形態素解析を行って単語に分解する形態素解析手段、
入力された感情語の第１の感情極性値、及び前記形態素解析手段により分解された単語又は複数の単語から成る節の感情極性がネガティブ、ポジティブ又はニュートラルの何れかである度合いを示す第２の感情極性値を判定する感情極性判定手段、及び
前記感情極性判定手段により判定された前記第１の感情極性値及び前記第２の感情極性値に基づいて前記感情語に対する前記単語又は前記節の寄与度を求め、該寄与度が閾値に満たないものを不要な単語又は節として抽出し、該単語又は節を削除することにより前記入力された文を整形する文整形手段、
として機能させるための文整形プログラム。
【発明の詳細な説明】
【技術分野】
【０００１】
本発明は、感情生起の原因となる事態を表す文から、感情生起に関係のない単語を削除して文を整形する文整形装置及び文整形プログラムに関する。
【背景技術】
【０００２】
文をその文を構成する単語に基づいて整形する技術が提案されている、このような文を整形する装置として、議事録の自動要約を目的とした文書要約装置（例えば、特許文献１参照。）が知られている。特許文献１の文書要約装置では、議論がどのように展開したかを把握するため、評価語「反対」、「賛成」、「利点」、「欠点」などを修飾する節を抽出し、これに基づいて要約文を生成する。
【特許文献１】特開２００７−１２８４０１号公報
【発明の開示】
【発明が解決しようとする課題】
【０００３】
しかしながら、例えば、「家計は悪化しているが景気は上向きなので賛成だ」という文では、「家計は悪化しているが景気は上向きなので」は「賛成だ」を修飾しているが、「家計は悪化している」は「賛成」と直接関係しない。特許文献１の文書要約装置では、このような場合の判別ができない。この結果、文全体の評価が「賛成＝ポジティブ」であると、「悪化＝ネガティブ」のように極性が異なる単語が含まれていても「悪化」が「賛成」と関係すると判断してしまうという問題点がある。また、該装置では、係り受け解析を用いているため、係り受け解析の誤りにより、正しい要約が得られないという問題点もある。
【０００４】
本発明は、上記問題点を解決するためになされたものであり、感情生起の原因となる事態を表す文から感情生起と関係のない単語を削除すると共に、係り受け解析の精度が十分でない場合でも精度よく文を整形できる文整形装置及び文整形プログラムを提供することを目的とする。
【課題を解決するための手段】
【０００５】
上記目的を達成するために、請求項１記載の文整形装置は、入力された文に形態素解析を行って前記文を単語に分解する形態素解析手段と、入力された感情語の第１の感情極性及び前記形態素解析手段により分解された単語又は複数の単語から成る節の第２の感情極性がネガティブ、ポジティブ及びニュートラルの何れであるかを判定する感情極性判定手段と、前記感情極性判定手段により判定された前記第１の感情極性と前記第２の感情極性とが一方がポジティブであり且つ他方がネガティブとなるときの前記第２の感情極性に対応する単語又は節を抽出し、該単語又は節を削除することにより前記入力された文を整形する文整形手段と、前記文整形手段により整形された文を出力する出力手段と、を備えている。
【０００６】
請求項１記載の発明によれば、入力文中から感情生起に関わりのない単語や節を削除することができる。
【０００７】
請求項２記載の文整形装置は、入力された文に形態素解析を行って前記入力された文を単語に分解する形態素解析手段と、入力された感情語の第１の感情極性値、及び前記形態素解析手段により分解された単語又は複数の単語から成る節の感情極性がネガティブ、ポジティブ又はニュートラルの何れかである度合いを示す第２の感情極性値を判定する感情極性判定手段と、前記感情極性判定手段により判定された前記第１の感情極性値及び前記第２の感情極性値に基づいて前記感情語に対する前記単語又は前記節の寄与度を求め、該寄与度が閾値に満たないものを不要な単語又は節として抽出し、該単語又は節を削除することにより前記入力された文を整形する文整形手段と、前記文整形手段により整形された文を出力する出力手段と、を備えている。
【０００８】
請求項２記載の発明によれば、入力文中から感情生起に関わりのない単語や節を削除する際に、適切な閾値を設定することにより誤削除を防止することができる。
【０００９】
請求項３記載の文整形プログラムは、コンピュータを、入力された文に形態素解析を行って前記入力された文を単語に分解する形態素解析手段、入力された感情語の第１の感情極性及び前記形態素解析手段により分解された単語又は複数の単語から成る節の第２の感情極性がネガティブ、ポジティブ及びニュートラルの何れであるかを判定する感情極性判定手段、及び前記感情極性判定手段により判定された前記第１の感情極性と前記第２の感情極性とが、一方がポジティブであり且つ他方がネガティブである単語又は節を抽出し、該単語又は節を削除することにより入力された文を整形する文整形手段、として機能させる。
【００１０】
請求項３記載の発明によれば、入力文中から感情生起に関わりのない単語や節を削除することができる。
【００１１】
請求項４記載の文整形プログラムは、コンピュータを、入力された文に形態素解析を行って単語に分解する形態素解析手段、入力された感情語の第１の感情極性値、及び前記形態素解析手段により分解された単語又は複数の単語から成る節の感情極性がネガティブ、ポジティブ又はニュートラルの何れかである度合いを示す第２の感情極性値を判定する感情極性判定手段、及び前記感情極性判定手段により判定された前記第１の感情極性値及び前記第２の感情極性値に基づいて前記感情語に対する前記単語又は前記節の寄与度を求め、該寄与度が閾値に満たないものを不要な単語又は節として抽出し、該単語又は節を削除することにより前記入力された文を整形する文整形手段、として機能させる。
【００１２】
請求項４記載の発明によれば、入力文中から感情生起に関わりのない単語や節を削除することができる。
【発明の効果】
【００１３】
以上説明したように、本発明によれば、感情生起の原因となる事態を表す文から感情生起と関係のない単語や節を、正しく削除して文を整形することができるという効果が得られる。
【発明を実施するための最良の形態】
【００１４】
以下、本発明の実施の形態について図面を参照しながら詳細に説明する。
【００１５】
図１は、本発明の実施の形態に係る文整形装置の構成を示すブロック図である。同図に示すように、文整形装置は、形態素解析部１１と、感情極性判定部１２と、文整形部１３と、出力部１４と、感情語辞書１５と、感情関連語辞書１６と、を備えている。
【００１６】
形態素解析部１１は、事態を表す文（以下「事態文」という。）である入力文に形態素解析を行って単語に分解すると共に、各単語を原型に変換する。ここで、形態素解析とは、文字列を単語に分解し、各単語の品詞を特定する技術をいう。
【００１７】
感情極性判定部１２は、感情語として入力された感情、及び事態文に含まれる単語又は複数の単語から成る節の感情極性がネガティブ、ポジティブ及びニュートラルの何れであるか、また感情極性がどの程度ネガティブ、ポジティブ又はニュートラルであるかを表す感情極性値を求める。
【００１８】
文整形部１３は、事態文に含まれる単語又は節と感情語との感情極性を用いて、事態文の整形を行う。具体的には、感情語の感情極性と、事態文に含まれる単語又は節の感情極性とが異なる場合に、対象単語又は節を削除する。また、その応用として、感情極性の度合いに応じて単語又は節の寄与度を求め、この寄与度に基づいて単語又は節を削除する。
【００１９】
出力部１４は、感情語及び整形された事態文を出力する。
【００２０】
感情語辞書１５は、感情語が表す感情極性がネガティブ、ポジティブ及びニュートラルの何れであるか、又は感情語が表す感情極性がどの程度ポジティブ、ネガティブ又はニュートラルであるかを表す感情極性値を定義する。
【００２１】
感情関連語辞書１６は、事態文に含まれる単語又は節が表す感情極性がネガティブ、ポジティブ及びニュートラルの何れであるか、又は感情語が表す感情極性がどの程度ポジティブ、ネガティブ又はニュートラルであるか表す感情極性値を定義する。
【００２２】
次に、本発明の各実施の形態に係る文整形装置の作用の流れを図２及び図１１に示す各フローチャートに沿って説明する。
【００２３】
＜第１の実施の形態＞
図２は、第１の実施の形態に係る文整形装置の作用の流れを示すフローチャートである。第１のケースとして、図３に示す事態文「遊園地に行く」と感情を示す感情語「楽しい」が対で入力された場合を例に説明する。
【００２４】
まず、ステップ１００では、形態素解析部１１が、事態文「遊園地に行く」を形態素解析する。その結果、図４のように、事態文が複数の単語に分解されると同時に、各単語は原形に変換される。
【００２５】
ステップ１１０では、感情極性判定部１２が、感情語「楽しい」の第１の感情極性を判定する。第１の感情極性の判定は、図５に示す感情語辞書１５を検索して行われる。検索の結果、「楽しい」の第１の感情極性は「ポジティブ」であることが判る。
【００２６】
ステップ１２０では、感情極性判定部１２が、事態文に含まれる各単語の第２の感情極性を順に判定する。この場合、事態文に含まれる各単語の原形は図４に示すように「遊園地」、「に」、「行く」である。第２の感情極性の判定は、図６に示す感情関連語辞書１６を検索して行われる。検索の結果、最初の単語の第２の感情極性は、「遊園地＝ポジティブ」であることが判る。
【００２７】
ステップ１３０では、感情極性判定部１２が、事態文に含まれる各単語について順に第２の感情極性がネガティブ又はポジティブであるか否かを判定し、ネガティブ又はポジティブなときはステップ１４０に進み、その他（ニュートラル）のときはステップ１６０に進む。本ケースでは、最初の単語である「遊園地」は第２の感情極性がポジティブであるのでステップ１４０に進む。
【００２８】
ステップ１４０では、感情極性判定部１２が、当該単語の第２の感情極性と感情語の第１の感情極性とが不一致か否かを判定し、不一致のときはステップ１５０に進み、一致するときはステップ１６０に進む。
【００２９】
本ケースでは、「遊園地」については、第１の感情極性と第２の感情極性とが一致するのでステップ１６０に進む。
【００３０】
ステップ１６０では、文整形部１３が、事態文に含まれる全ての単語の処理を終了したか否かを判定し、終了したときはステップ１７０に進み、終了していないときはステップ１２０に戻って残りの単語について上述の処理を繰り返す。
【００３１】
本ケースでは、ステップ１２０で「遊園地」に続く「に」、「行く」の第２の感情極性は何れも「ニュートラル」であることが判るので、ステップ１３０からステップ１６０に進む。そして、全ての単語について処理を終了したときには、ステップ１７０に進む。
【００３２】
ステップ１７０では、出力部１４が、感情語と整形後の事態文を出力する。本ケースでは、ステップ１５０における事態文の整形は行われなかったので、入力された事態文がそのまま出力される。
【００３３】
本ケースのように、第１の感情極性及び第２の感情極性がネガティブ又はポジティブであり、かつ、第１の感情極性と第２の感情極性とが異なる単語が事態文に含まれない場合には、事態文の整形は行わない。
【００３４】
次に、第２のケースとして、図７に示す事態文「遊園地に行くといつも混雑している」と感情を示す感情語「嫌だ」が対で入力された場合を例に説明する。
【００３５】
第１のケースと同様に、ステップ１００では、形態素解析部１１が事態文に形態素解析を行う。その結果、図８に示すように、事態文は単語に分解され、かつ、原形に変換される。
【００３６】
ステップ１１０では、感情極性判定部１２が、感情語「嫌だ」の第１の感情極性を判定する。図５に示す感情語辞書１５から、第１の感情極性は「ネガティブ」であることが判る。
【００３７】
ステップ１２０では、感情極性判定部１２が、事態文に含まれる各単語の第２の感情極性を順に判定する。この場合、事態文に含まれる各単語の原形は図８に示すように「遊園地」、「に」、「行く」、「と」、「いつも」、「混雑」、「する」、「て」、「いる」である。最初の単語の第２の感情極性は、第１のケースと同様に図６に示す感情関連語辞書１６から「遊園地＝ポジティブ」であることが判る。
【００３８】
ステップ１３０では、感情極性判定部１２が、事態文に含まれる各単語について順に第２の感情極性がネガティブ又はポジティブであるか否かを判定し、ネガティブ又はポジティブなときはステップ１４０に進み、その他（ニュートラル）のときはステップ１６０に進む。本ケースでは、最初の単語である「遊園地」は第２の感情極性がポジティブであるのでステップ１４０に進む。
【００３９】
ステップ１４０では、感情極性判定部１２が、当該単語の第２の感情極性と感情語の第１の感情極性とが不一致か否かを判定し、不一致のときはステップ１５０に進み、一致するときはステップ１６０に進む。
【００４０】
本ケースでは、「遊園地」については、第１の感情極性と第２の感情極性とが不一致であるのでステップ１５０に進む。
【００４１】
ステップ１５０では、文整形部１３が、当該単語「遊園地」を「unknown」に置き換えて文を整形する。
【００４２】
ステップ１６０では、文整形部１３が、事態文に含まれる全ての単語について処理を終了したか否かを判定し、終了したときは処理を終え、終了してないときはステップ１２０に戻り、残りの単語について上述の処理を繰り返す。
【００４３】
本ケースの場合、「遊園地」に続く各単語の第２の感情極性は、図６に示す感情関連語辞書１６により「に＝ニュートラル」、「行く＝ニュートラル」、「と＝ニュートラル」、「いつも＝ニュートラル」、「混雑＝ネガティブ」、「する＝ニュートラル」、「て＝ニュートラル」、「いる＝ニュートラル」である。従って、第２の感情極性がネガティブ又はポジティブであり、かつ、第１の感情極性と異なる単語はないので、「遊園地」以外の単語については置き換えを行わずにステップ１７０に進む。
【００４４】
ステップ１７０では、出力部１４が、感情と整形後の事態文を出力する。本ケースでは、上述のように「遊園地」を「unknown」に置き換えた結果、図９に示すように、感情語「嫌だ」と事態文「〜に行くといつも混雑している」が出力される。これは、「嫌だ」を生起する事態は「〜に行くといつも混雑している」であることを示している。
【００４５】
このように、第１の実施の形態に係る文整形装置では、事態文に含まれる単語の感情極性と感情語の感情極性とが異なる場合に、当該単語を事態文から削除する。従って、感情生起の事態と直接関係しない単語が事態文から削除されるので、データベース検索時のノイズが消去されるので、より適切な検索が可能になる。
【００４６】
以下、具体例を用いて、本実施の形態に係る文整形装置による事態文の整形の有効性を示す。
【００４７】
本発明の応用例として、次の２つのユーザ発話に対して、図１０に示す事態文と感情データベースから感情の応答生成をすることを考える。
【００４８】
（ユーザ発話例）
ユーザ発話１：「遊園地  へ  行っ  た  よ」
ユーザ発話２：「デパート  へ  行っ  たら  大  混雑  だっ  た  よ」
上記２つの発話と図１０の事態文との類似度を考える。類似度は単語の一致度によって求める。図１０のＩＤ１の事態文は本発明を適用する前（整形前）の事態文、ＩＤ２の事態文は本発明により文を整形した後の事態文を示す。
【００４９】
ＩＤ１：「遊園地  に  行く  と  いつも  混雑  し  て  いる」
ＩＤ２：「unknown  に  行く  と  いつも  混雑  し  て  いる」
ＩＤ１の事態文とユーザ発話との類似度は下記のようになる。
・「ＩＤ１の事態文」と「ユーザ発話１」との類似度＝１
一致する単語＝遊園地
・「ＩＤ１の事態文」と「ユーザ発話２」との類似度-＝１
一致する単語＝混雑
従って、どちらの類似度も１であるため、ユーザ発話１に対しても、ユーザ発話２に対しても感情「嫌だ」を推定してしまう。
【００５０】
一方、ＩＤ２の事態文との類似度は下記のようになる。
【００５１】
・「ＩＤ２の事態文」と「ユーザ発話１」との類似度＝０
一致する単語＝該当なし
・「ＩＤ２の事態文」と「ユーザ発話２」との類似度＝１
一致する単語＝混雑
従って、ユーザ発話１に対しては類似度０で「嫌だ」は該当しないが、ユーザ発話２に対しては類似度１で「嫌だ」を推定する。
【００５２】
ここで、一般的には、ユーザ発話１の表現する感情はポジティブ、ユーザ発話２の表現する感情はネガティブと考えられる。このように、本発明に係る文整形装置で整形した事態文を用いることで適切な推定が可能になる。
【００５３】
＜第２の実施の形態＞
第２の実施の形態では、第１の実施の形態における「感情極性に基づく文整形」の応用として、感情極性値に基づいて「感情に対する単語の寄与度」を求める。
【００５４】
図１１は、第２の実施の形態に係る文整形装置の作用の流れを示すフローチャートである。本実施の形態では、第１の実施の形態の第２のケースと同様に、図７に示す事態文「遊園地に行くといつも混雑している」と感情を示す感情語「嫌だ」が対で入力された場合を例に説明する。
【００５５】
ステップ２００では、形態素解析部１１が事態文に形態素解析を行い、図８に示すように事態文が単語に分割され、かつ、原形に変換される。
【００５６】
ステップ２１０では、感情極性判定部１２が、感情語「嫌だ」の第１の感情極性値を判定する。図１２に示す感情語辞書１５から、第１の感情極性値は「−１」であることが判る。
【００５７】
ステップ２２０では、感情極性判定部１２が、事態文に含まれる各単語の第２の感情極性値を順に判定する。最初の単語の第２の感情極性値は、図１３に示す感情関連語辞書１６から「遊園地＝＋０．８４」であることが判る。
【００５８】
ステップ２３０では、感情極性判定部１２が、事態文に含まれる各単語について順に第２の感情極性値がプラス又はマイナスであるか否かを判定し、プラス又はマイナスのときはステップ２４０に進み、その他（ゼロ）のときはステップ２６０に進む。最初の単語「遊園地」は第２の感情極性値がプラスであるのでステップ２４０に進む。
【００５９】
ステップ２４０では、感情極性判定部１２が、当該単語の第２の感情極性値と感情語の第１の感情極性値との正負が不一致か否かを判定し、不一致のときはステップ２５０に進み、一致するときはステップ２６０に進む。
【００６０】
「遊園地」については、第１の感情極性値と第２の感情極性値の正負が不一致であるのでステップ２５０に進む。
【００６１】
ステップ２５０では、文整形部１３が、感情に対する各単語の寄与度を求める。当該ケースのように、第１の感情極性値と第２の感情極性値の正負が不一致の場合には、「当該単語の第２の感情極性値」×「−１」を寄与度とする。従って、「遊園地」の寄与度は図１４に示すように「＋０．８４」×「−１」＝「−０．８４」となる。
【００６２】
ステップ２７０では、文整形部１３が、当該単語の寄与度と予め定めた閾値と比較し、寄与度が閾値未満のときはステップ２８０に進み、寄与度が閾値以上のときはステップ２９０に進む。本実施の形態では、例えば閾値を「−０．３」と定めておくと、「遊園地＝−０．８４」は閾値未満であるのでステップ２８０に進む。
【００６３】
ステップ２８０では、文整形部１３が、当該単語「遊園地」を「unknown」に置き換えて文を整形する。
【００６４】
ステップ２９０では、文整形部１３が、事態文に含まれる全ての単語について処理を終了したか否かを判定し、終了したときはステップ３００に進み、終了してないときはステップ２２０に戻り、残りの単語について上述の処理を繰り返す。
【００６５】
本実施の形態の場合、「遊園地」に続く各単語の第２の感情極性値は、図１３に示す感情関連語辞書１６により、「に＝０」、「行く＝＋０．２」、「と＝０」、「いつも＝０」、「混雑＝−０．９８」、「する＝０」、「て＝０」、「いる＝０」である。
【００６６】
このうち、第２の感情極性値が「０」である「に」、「と」、「いつも」、「する」、「て」、「いる」については、以下のように処理が行われる。
【００６７】
ステップ２３０では、第２の感情極性値がプラスでもマイナスでもないのでステップ２６０に進む。
【００６８】
ステップ２６０では、文整形部１３が、感情に対する各単語の寄与度を求める。第２の感情極性値が「０」のときは、「当該単語の第２の感情極性値」の絶対値を感情に対する寄与度とする。従って、何れの単語も寄与度は「０」となる。
【００６９】
ステップ２７０では、文整形部１３が、当該単語の寄与度と予め定めた閾値と比較し、寄与度は「０」で閾値「−０．３」以上であるのでステップ２９０に進み、単語の「unknown」への置き換えは行われない。
【００７０】
第２の感情極性値が「プラス」である「行く＝＋０．２」については、以下のように処理が行われる。
【００７１】
ステップ２３０では、第２の感情極性値がプラスであるのでステップ２４０に進み、第１の感情極性値と正負が不一致であるのでステップ２５０に進む。
【００７２】
ステップ２５０では、文整形部１３が、感情に対する各単語の寄与度を求める。上述の「遊園地」の場合と同様に、「当該単語の第２の感情極性値」×「−１」を寄与度とする。従って、「行く」の寄与度は図１４に示すように「＋０．２」×「−１」＝「−０．２」となる。
【００７３】
ステップ２７０では、文整形部１３が、当該単語の寄与度と予め定めた閾値と比較し、寄与度は「−０．２」で閾値「−０．３」以上であるのでステップ２９０に進み、単語の「unknown」への置き換えは行われない。
【００７４】
第２の感情極性値が「マイナス」である「混雑＝−０．９８」については以下のように処理が行われる。
【００７５】
ステップ２３０では、第２の感情極性値がマイナスであるのでステップ２４０に進み、第１の感情極性値と正負が一致するであるのでステップ２６０に進む。
【００７６】
ステップ２６０では、文整形部１３が、感情に対する各単語の寄与度を求める。第１の感情極性値と第２の感情極性値とが一致するときは、「当該単語の第２の感情極性値」の絶対値を感情に対する寄与度とする。従って、「混雑」の寄与度は「＋０．９８」となる。
【００７７】
ステップ２７０では、文整形部１３が、当該単語の寄与度と予め定めた閾値と比較し、寄与度は「＋０．９８」で閾値「−０．３」以上であるのでステップ２９０に進み、単語の「unknown」への置き換えは行われない。
【００７８】
以上、事態文に含まれる全ての単語について処理を終了した場合には、ステップ３００に進む。
【００７９】
ステップ３００では、出力部１４が、感情語と整形後の事態文を出力する。本実施の形態では、上述のように「遊園地」を「unknown」に置き換えた結果、図９に示すように、感情語「嫌だ」と事態文「〜に行くといつも混雑している」が出力される。
【００８０】
このように、第２の実施の形態に係る文整形装置では、寄与度の閾値を「−０．３」として文を整形すると、「に」、「行く」、「と」、「いつも」、「混雑」、する」、「て」、「いる」が閾値以上の単語として残される。即ち、寄与度の正負のみで要否を判断して削除されていた部分を残すことができる。また、寄与度の閾値を適切に変動させることにより、アプリケーションに合わせて文の整形結果を変更することが可能となる。
【００８１】
なお、本発明は、上述した実施の形態に限定されるものではなく、特許請求の範囲に記載された範囲内で設計上の変更をされたものにも適用可能である。
【００８２】
例えば、入力された文を単語だけでなく、複数の単語から成る節に分解し、単語又は節の感情極性（或いは感情極性値）に基づいて不要な部分を削除して文を整形してもよい。
【００８３】
一例として、事態文「ノートパソコンは薄いがキーボードが小さいので面倒だ」に対して感情がネガティブな場合を考えると、「ノートパソコンは薄い」を節として分解し、当該節の感情極性がポジティブであると、節単位で不要な部分を削除することができる。
【図面の簡単な説明】
【００８４】
【図１】本発明の実施の形態に係る文整形装置の構成を示すブロック図である。
【図２】第１の実施の形態に係る文整形装置の作用の流れを示すフローチャートである。
【図３】事態文と感情語の対１を示す図である。
【図４】事態文と感情語の対１の事態文の形態素解析結果を示す図である。
【図５】感情語と感情極性の関係を定義する感情語辞書を示す図である。
【図６】感情関連語と感情極性の関係を定義する感情関連語辞書を示す図である。
【図７】事態文と感情語の対２を示す図である。
【図８】事態文と感情語の対２の事態文の形態素解析結果を示す図である。
【図９】事態文と感情語の対１の整形結果を示す図である。
【図１０】整形前と整形後の事態文と感情データベースの例を示す図である。
【図１１】第２の実施の形態に係る文整形装置の作用の流れを示すフローチャートである。
【図１２】感情語と感情極性値の関係を定義する感情語辞書を示す図である。
【図１３】感情関連語と感情極性値の関係を定義する感情関連語辞書を示す図である。
【図１４】事態文と感情語の対２の整形結果（感情に対する単語の寄与度を用いた場合）を示す図である。
【符号の説明】
【００８５】
１１    形態素解析部
１２    感情極性判定部
１３    文整形部
１４    出力部
１５    感情語辞書
１６    感情関連語辞書
【図１】
2009163565.tif 000003
【図２】
2009163565.tif 000004
【図３】
2009163565.tif 000005
【図４】
2009163565.tif 000006
【図５】
2009163565.tif 000007
【図６】
2009163565.tif 000008
【図７】
2009163565.tif 000009
【図８】
2009163565.tif 000010
【図９】
2009163565.tif 000011
【図１０】
2009163565.tif 000012
【図１１】
2009163565.tif 000013
【図１２】
2009163565.tif 000014
【図１３】
2009163565.tif 000015
【図１４】
2009163565.tif 000016